(57)【特許請求の範囲】
【請求項１】
互いの脚部で展開状態で連接される複数の等脚台形状の側面パネルと、
上記側面パネルの下底からそれぞれ延出する底面フラップと
を備え、
上記底面フラップの側縁のうち、上記複数の側面パネルの連接方向の一方側の側縁が、基端側から先端側に向けて幅方向の内側に傾斜した傾斜縁であり、
上記側面パネルの枚数が３以上であり、
上記複数の側面パネルが多角筒体に組み立てられ、かつ複数の上記底面フラップが、上記傾斜縁が外側に位置するように組み合わされ、
上記複数の底面フラップが、上記傾斜縁の先端部分に切り欠きを有し、
上記複数の底面フラップが組み合わされて形成される安全コーンの底部の中心部分に上記切り欠きに基づく開口が形成される安全コーン用シート。
【請求項２】
上記側面パネルの枚数が４であり、
上記側面パネルの下底に対する上記傾斜縁の傾斜角度が４０°以上５０°以下である請求項１に記載の安全コーン用シート。
【請求項３】
上記連接方向の片側の端部に配置される上記側面パネルの外側の脚部から延出する突片と、
上記連接方向の他方側の端部に配置される上記側面パネルの外側の脚部に連接され、組立状態で上記多角筒体の内面側に折り重ねられる接続パネルと
をさらに備え、
上記接続パネルとこの接続パネルに連接される上記側面パネルとの境界部分に上記突片が挿入される係止用スリットが形成されており、
上記突片が延出する上記側面パネルの上端部分に、外側の脚部から内側に延びる折り曲げ容易線と、この折り曲げ容易線の先端部から上底に至るスリットとによって折り曲げ片が画定されている請求項１又は請求項２に記載の安全コーン用シート。
【請求項４】
請求項１から請求項３のいずれか１項に記載の安全コーン用シートから組み立てられる安全コーンと、
上記安全コーンの底面フラップ上に配置される錘と
を備える安全コーン装置。
【発明の詳細な説明】
【技術分野】
【０００１】
本発明は、安全コーン用シート及び安全コーン装置に関する。
【背景技術】
【０００２】
道路や工事現場等における規制や、所定の空間を区分けするための部材として安全コーンが用いられている。一般にこの安全コーンは、合成樹脂から構成されている。この安全コーンとしては、円錐状の本体と、この本体の底部に接続される鍔状のベース部とを有するものが公知である。
【０００３】
一方、今日では、軽量化を図り、取扱性を高めることができるよう段ボール等の厚紙を用いた安全コーンも提案されている（実用新案登録第３０４１９３４号公報参照）。
【先行技術文献】
【特許文献】
【０００４】
【特許文献１】実用新案登録第３０４１９３４号公報
【発明の概要】
【発明が解決しようとする課題】
【０００５】
上記公報には、二等辺三角形状の複数のパネルを組み合わせて形成される多角錐状の本体の底部に、この底部と同じ大きさの孔を有するベース部を接続してなるコーン型表示具が記載されている。上記公報には、本体とベース部とを部分的に着脱可能に構成すると共に、上記本体及び上記ベース部に折り曲げ線を設けることで、上記本体及び上記ベース部を折り畳んだ状態で運搬及び保管できることが記載されている。
【０００６】
しかしながら、上記公報に記載されているような従来の厚紙製の安全コーンは、軽量であるため、使用時に風や意図しない接触等の影響で倒れたり位置がずれたりするおそれがある。
【０００７】
本発明は、このような事情に鑑みてなされたものであり、保管時、運搬時等における取扱性に優れると共に、使用時に安定して設置可能な安全コーン用シートを提供することを目的とする。
【課題を解決するための手段】
【０００８】
本発明の一態様に係る安全コーン用シートは、互いの脚部で展開状態で連接される複数の等脚台形状の側面パネルと、上記側面パネルの下底からそれぞれ延出する底面フラップとを備え、上記底面フラップの側縁のうち、上記複数の側面パネルの連接方向の一方側の側縁が、基端側から先端側に向けて幅方向の内側に傾斜した傾斜縁であり、上記側面パネルの枚数が３以上であり、上記複数の側面パネルが多角筒体に組み立てられ、かつ複数の上記底面フラップが、上記傾斜縁が外側に位置するように組み合わされる。
【発明の効果】
【０００９】
本発明の一態様に係る安全コーン用シートは、保管時、運搬時等における取扱性に優れると共に、使用時に安定して設置可能である。
【図面の簡単な説明】
【００１０】
【図１】図１は、本発明の一実施形態に係る安全コーン用シートを示す模式的平面図（内面図）である。
【図２】図２は、図１の安全コーン用シートを組み立ててなる安全コーンを示す模式的斜視図である。
【図３】図３は、図２の安全コーンの模式的底面図である。
【図４】図４は、図２の安全コーンを備える安全コーン装置を示す模式的斜視図である。
【図５】図５は、図４の安全コーン装置における錘の挿入時の状態を示す模式的側面図である。
【図６】図６は、図５の挿入時の状態の模式的底面図である。
【図７】図７は、図４の安全コーン装置の使用例を示す模式的斜視図である。
【図８】図８は、図２の安全コーンにコーンバーを収納した状態を示す模式的斜視図である。
【発明を実施するための形態】
【００１１】
［本発明の実施形態の説明］
最初に本発明の実施態様を列記して説明する。
【００１２】
本発明の一態様に係る安全コーン用シートは、互いの脚部で展開状態で連接される複数の等脚台形状の側面パネルと、上記側面パネルの下底からそれぞれ延出する底面フラップとを備え、上記底面フラップの側縁のうち、上記複数の側面パネルの連接方向の一方側の側縁が、基端側から先端側に向けて幅方向の内側に傾斜した傾斜縁であり、上記側面パネルの枚数が３以上であり、上記複数の側面パネルが多角筒体に組み立てられ、かつ複数の上記底面フラップが、上記傾斜縁が外側に位置するように組み合わされる。
【００１３】
当該安全コーン用シートによると、上記複数の側面パネルの下底からそれぞれ延出する底面フラップを上記傾斜縁が外側に位置するように組み合わせることで安全コーンの底部が形成される。上記複数の底面フラップは、底部に組み立てられた状態で下方から押圧されると、各底面フラップの傾斜縁がそれぞれ上側に配置されている他の底面フラップを押し上げることで、容易に上方に折れ曲がる。そのため、上記安全コーンは、上記複数の底面フラップが折れ曲がることで形成される底部の隙間から内部に錘を挿入することができる。その結果、上記安全コーンは、上記複数の底面フラップ上に上記錘を容易に配置することができる。従って、当該安全コーン用シートは、保管時、運搬時等における軽量化を図ることで取扱性を高めることができると共に、使用時には上記錘を配置することで安定的に設置することが可能である。
【００１４】
上記複数の底面フラップが、上記傾斜縁の先端部分に切り欠きを有し、上記複数の底面フラップが組み合わされて形成される安全コーンの底部の中心部分に上記切り欠きに基づく開口が形成されるとよい。このように、上記複数の底面フラップが、上記傾斜縁の先端部分に切り欠きを有し、上記複数の底面フラップが組み合わされて形成される安全コーンの底部の中心部分に上記切り欠きに基づく開口が形成されることによって、上記開口を利用して、上記複数の底面フラップをより容易に上方に折り曲げることができる。その結果、上記安全コーンの内部に上記錘をより容易に挿入することができる。
【００１５】
上記側面パネルの枚数が４であり、上記側面パネルの下底に対する上記傾斜縁の傾斜角度が４０°以上５０°以下であるとよい。このように、上記側面パネルの枚数が４であり、上記側面パネルの下底に対する上記傾斜縁の傾斜角度が４０°以上５０°以下であることによって、上記底部に組み立てられた状態で上記複数の底面フラップをより容易に上方に折り曲げることができる。その結果、上記安全コーンの内部に上記錘をより容易に挿入することができる。また、この構成によると、上記複数の底面フラップの上面に上記錘の荷重が加えられた場合に上記複数の底面フラップの下方への折れ曲がりを抑制しやすい。従って、使用時における安定性をより高めることができる。
【００１６】
上記連接方向の片側の端部に配置される上記側面パネルの外側の脚部から延出する突片と、上記連接方向の他方側の端部に配置される上記側面パネルの外側の脚部に連接され、組立状態で上記多角筒体の内面側に折り重ねられる接続パネルとをさらに備え、上記接続パネルとこの接続パネルに連接される上記側面パネルとの境界部分に上記突片が挿入される係止用スリットが形成されており、上記突片が延出する上記側面パネルの上端部分に、外側の脚部から内側に延びる折り曲げ容易線と、この折り曲げ容易線の先端部から上底に至るスリットとによって折り曲げ片が画定されているとよい。上記安全コーンは、他の安全コーンとの間にコーンバーを掛け渡して使用することが可能である。この際、上記突片が延出する上記側面パネルの上端部分に、外側の脚部から内側に延びる折り曲げ容易線と、この折り曲げ容易線の先端部から上底に至るスリットとによって折り曲げ片が画定されていることによって、この折り曲げ片を折り曲げて、上記安全コーンの上部開口からコーンバーを容易に挿入することができ、上記コーンバーを上記安全コーンと一緒に保管することができる。
【００１７】
上記課題を解決するためになされた本発明の他の一態様に係る安全コーン装置は、当該安全コーン用シートから組み立てられる安全コーンと、上記安全コーンの底面フラップ上に配置される錘とを備える。
【００１８】
当該安全コーン装置は、当該安全コーン用シートを用いているので、保管時、運搬時等における取扱性に優れると共に、安定して設置可能である。
【００１９】
なお、本発明において「等脚台形状」とは、完全な等脚台形の他、等脚台形に近似した形状を含む。例えば上底と下底とが完全には平行ではない形状を含む。
【００２０】
以下、適宜図面を参照しつつ、本発明の実施の形態を詳説する。
【００２１】
［第一実施形態］
図１の安全コーン用シート１０は１枚のシートからなる。当該安全コーン用シート１０は、互いに脚部で展開状態で連接される３以上（本実施形態では４つ）の等脚台形状の側面パネル（第１側面パネル１、第２側面パネル２、第３側面パネル３及び第４側面パネル４）と、側面パネルの下底からそれぞれ延出する底面フラップ（第１側面パネル１の下底から延出する第１底面フラップ５、第２側面パネル２の下底から延出する第２底面フラップ６、第３側面パネル３の下底から延出する第３底面フラップ７及び第４側面パネル４の下底から延出する第４底面フラップ８）とを備える（以下、第１側面パネル１〜第４側面パネル４をまとめて「側面パネル１〜４」ともいう。また、第１底面フラップ５〜第４底面フラップ８をまとめて「底面フラップ５〜８」ともいう。）。第１側面パネル１、第２側面パネル２、第３側面パネル３及び第４側面パネル４は、この順で連接されている。また、当該安全コーン用シート１０は、連接方向の片側の端部に配置されている第１側面パネル１の外側の脚部１ａから延出する複数の突片９ａ〜９ｃ（上底側から順に第１突片９ａ、第２突片９ｂ及び第３突片９ｃ）と、上記連接方向の他方側の端部に配置されている第４側面パネル４の外側の脚部４ａに連接される接続パネル１１とを備える。
【００２２】
底面フラップ５〜８の側縁のうち、上記連接方向の一方側の側縁は、基端側から先端側に向けて幅方向の内側に傾斜した傾斜縁５ａ〜８ａである。当該安全コーン用シート１０は、側面パネル１〜４が多角筒体に組み立てられ、かつ底面フラップ５〜８が、傾斜縁５ａ〜８ａが外側に位置するように互いに組み合わされることで図２及び図３の安全コーン２０に組み立てられる。なお、図１において、太い実線はシートを切断して形成される切断線を示し、細い実線はシートの内面を筋押しして形成された罫線を示す。
【００２３】
当該安全コーン用シート１０に用いられるシートとしては、当該安全コーン用シート１０を組み立ててなる安全コーン２０の形状を維持できる程度の強度と適度な反発力とを有する限り特に限定されるものではなく、例えば段ボールシート、ボール紙等の厚紙製シート、合成樹脂製シート、厚紙製シートと合成樹脂製シートとの積層シート等が挙げられる。中でも、加工性、衝撃吸収性、取扱性、リサイクル性、経済性等の点から厚紙製シートが好ましく、段ボールシートが特に好ましい。当該安全コーン用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。なお、図１の第１側面パネル１に記載されたストライプ状のラインは中芯の稜線方向を示している。
【００２４】
（側面パネル）
側面パネル１〜４は、それぞれ略同形状の等脚台形状である。各側面パネル１〜４は、上底の長さよりも下底の長さの方が大きい。側面パネル１〜４は、互いの上底が同一方向に位置するように脚部で連接されている。側面パネル１〜４は、後述するように突片９ａ〜９ｃが係止用スリット１１ａ〜１１ｃに挿入されることで、多角筒体（より詳しくは四角筒体）に組み立てられる。
【００２５】
側面パネル１〜４の上底の長さＬ１の下限としては、３ｃｍが好ましく、４ｃｍがより好ましい。一方、上記長さＬ１の上限としては、６ｃｍが好ましく、５ｃｍがより好ましい。上記長さＬ１が上記下限に満たないと、後述のように安全コーン２０の上部開口からコーンバーＸを挿入するのが容易でなくなるおそれがある。逆に、上記長さＬ１が上記上限を超えると、コーンバーＸを安全コーン２０に収納した際に、コーンバーＸを安定的に保持することが容易でなくなるおそれがある。
【００２６】
側面パネル１〜４の下底の長さＬ２に対する高さＨの比（Ｈ／Ｌ２）の下限としては、２．０が好ましく、２．５がより好ましい。一方、上記比（Ｈ／Ｌ２）の上限としては、４．０が好ましく、３．５がより好ましい。上記比（Ｈ／Ｌ２）が上記下限に満たないと、側面パネル１〜４の高さＨが不十分となり、安全コーン２０の標識としての機能が低下するおそれがある。逆に、上記比（Ｈ／Ｌ２）が上記上限を超えると、安全コーン２０の設置状態での安定性が低下するおそれがある。
【００２７】
第１側面パネル１の上端部分には、外側の脚部１ａから内側（連接方向の内側）に延びる折り曲げ容易線１ｂと、折り曲げ容易線１ｂの先端部から上底に至るスリット１ｃとによって折り曲げ片１２が画定されている。折り曲げ容易線１ｂは、基端側（外側の脚部１ａ側）から先端側に向けて上底側に傾斜している。スリット１ｃは、第１側面パネル１と第２側面パネル２との境界線上に形成されている。
【００２８】
折り曲げ容易線１ｂの基端部は、第１突片９ａよりも下底側に位置している。つまり、第１突片９ａは折り曲げ片１２の側縁から延出するよう構成されている。折り曲げ片１２の機能については後述する。
【００２９】
（底面フラップ）
図２及び図３に示すように、底面フラップ５〜８は、安全コーン２０の底部２１に組み立てられる。底面フラップ５〜８は、それぞれ略同一形状である。底面フラップ５〜８は、側面パネル１〜４の下底の略全領域から延出している。すなわち、底面フラップ５〜８の基端縁の長さと側面パネル１〜４の下底の長さとは略等しい。安全コーン２０の底部２１において、第１底面フラップ５と第３底面フラップ７とは互いに対向し、第２底面フラップ６と第４底面フラップ８とは互いに対向する。
【００３０】
底面フラップ５〜８の延出方向長さＬ３は、側面パネル１〜４の下底の長さＬ２の略１／２である。これにより、安全コーン２０の底部２１に組み立てられた状態で対向する底面フラップ（第１底面フラップ５と第３底面フラップ７、及び第２底面フラップ６と第４底面フラップ８）の延出方向の合計長さは、底部２１の１辺の長さと略等しくなる。
【００３１】
上述のように、底面フラップ５〜８は、側面パネル１〜４の連接方向の一方側に傾斜縁５ａ〜８ａを有する。図２及び図３に示すように、底面フラップ５〜８は、安全コーン２０の底部２１に組み立てられた状態で傾斜縁５ａ〜８ａが外側（下側）に位置するように風車状（ジグザグ状）に組み合わされる。
【００３２】
傾斜縁５ａ〜８ａは、安全コーン２０に組み立てられた状態で上側に配置されている他の底面フラップ５〜８を上方に折り曲げるためのガイド縁である。図４に示すように、安全コーン２０は、底面フラップ５〜８の上面に錘３０を配置した状態で使用することができる。錘３０は、底面フラップ５〜８間の隙間から安全コーン２０の内部に挿入される。傾斜縁５ａ〜８ａは、錘３０を安全コーン２０内に挿入する際の隙間を形成するために機能する。なお、安全コーン２０の底面フラップ５〜８上に錘３０が配置された安全コーン装置４０は、それ自体本発明の一実施形態である。当該安全コーン装置４０は、底面フラップ５〜８上に錘３０が配置されていることで、当該安全コーン用シート１０自体が軽量な場合でも、設置状態での安定性に優れる。
【００３３】
図５及び図６を参照して、安全コーン２０の内部に錘３０を挿入する手順について説明する。図５及び図６では、錘３０が液体入りの飲料用ＰＥＴボトルである場合を例にして説明する。
【００３４】
安全コーン２０の内部に錘３０を挿入する際には、まず、安全コーン２０の底部２１の中心部分に下方から錘３０を押し当てる。この状態で錘３０を上方に押し込んでいくと、錘３０の押し込みに対応して各底面フラップ５〜８の傾斜縁５ａ〜８ａが上方に配置されている他の底面フラップ５〜８を押し上げていき、底面フラップ５〜８が風車状に組み合わされてなる底部２１の中心部分に隙間Ｓが形成される。この隙間Ｓを通過させるように錘３０をさらに押し込んでいくと、図５及び図６に示すように、錘３０は底面フラップ５〜８の先端縁にガイドされながら安全コーン２０の内部に挿入されていく。錘３０が安全コーン２０内に完全に挿入されると、底面フラップ５〜８はシート材の反力によって、水平方向に戻される。その結果、底面フラップ５〜８が再度風車状に組み合わされて安全コーン２０の底部２１が復元される。なお、当該安全コーン装置４０は、錘３０を安全コーン２０の内部に挿入する途中の状態で使用することも可能である。当該安全コーン装置４０は、シート材の反力を利用して底面フラップ５〜８の先端縁を錘３０の周面に当接することで、錘３０を複数の底面フラップ５〜８によって挟持することが可能である。そのため、当該安全コーン装置４０は、錘３０が安全コーン２０内に入り切っていない場合でも、底面フラップ５〜８間の隙間Ｓに錘３０を安定的に保持することができる。
【００３５】
傾斜縁５ａ〜８ａは例えば直線状である。側面パネル１〜４の下底に対する傾斜縁５ａ〜８ａの傾斜角度αは、傾斜縁５ａ〜８ａを上述のガイド縁として機能させることができる限り特に限定されるものではない。上記傾斜角度αは、側面パネルの枚数等に応じて設定可能であり、例えば３０°以上６０°以下とすることができる。
【００３６】
本実施形態のように側面パネル１〜４の枚数が４である場合、上記傾斜角度αの下限としては、４０°が好ましく、４３°がより好ましい。一方、上記傾斜角度αの上限としては、５０°が好ましく、４７°がより好ましい。また、上記傾斜角度αとしては、４５°が最も好ましい。上記傾斜角度αが上記下限に満たないと、安全コーン２０に組み立てられた状態で底面フラップ５〜８同士の係合が不十分となるおそれがある。逆に、上記傾斜角度αが上記上限を超えると、傾斜縁５ａ〜８ａによって上側に配置されている他の底面フラップ５〜８の折り曲げを誘導し難くなるおそれがある。これに対し、上記傾斜角度αが上記範囲内である場合、安全コーン２０の底部２１に組み立てられた状態で底面フラップ５〜８を容易に上方に折り曲げることができる。また、上記傾斜角度αが上記範囲内である場合、底面フラップ５〜８が水平に保たれた状態での、傾斜縁５ａ〜８ａとこれらの傾斜縁５ａ〜８ａの上方に配置される他の底面フラップ５〜８との重なり合いが安定する。その結果、底面フラップ５〜８の上面に錘３０の荷重が加えられた場合における底面フラップ５〜８の下方への折れ曲がりが抑制される。これにより、設置状態での安定性をより高めることができる。
【００３７】
図１に示すように、底面フラップ５〜８は、傾斜縁５ａ〜８ａの先端部分に切り欠き５ｂ〜８ｂを有する。図３に示すように、安全コーン２０の底部２１の中心部分には、切り欠き５ｂ〜８ｂに基づく開口２２が形成される。この構成によると、錘３０の一部分（例えばＰＥＴボトルの蓋部）を開口２２に挿入し、錘３０を上方に押し込むことで、底部２１の中心部分に隙間Ｓを容易に形成することができる。その結果、底面フラップ５〜８の折れ曲がりを利用して、開口２２から安全コーン２０の内部に錘３０をより容易に挿入することができる。
【００３８】
図３に示すように、底面フラップ５〜８は、傾斜縁５ａ〜８ａが形成される側と反対側の側部に、組立状態で他の底面フラップ５〜８と重なり合う係合部５ｃ〜８ｃを有する。係合部５ｃ〜８ｃは、底面フラップ５〜８が安全コーン２０の底部２１に組み立てられた状態で、底面フラップ５〜８が水平状態から下方に開放されることを抑制する。
【００３９】
（接続パネル）
接続パネル１１は、第４側面パネル４の外側の脚部４ａの上端から下端に亘って形成されている。接続パネル１１は、安全コーン２０に組み立てられた状態で、側面パネル１〜４によって形成される四角筒体の内面側に折り重ねられる。より詳しくは、接続パネル１１は、第１側面パネル１の内面側に折り重ねられる。接続パネル１１と第１側面パネル１とは接着されていない。
【００４０】
接続パネル１１の幅Ｗは、側面パネル１〜４の上底の長さＬ１よりも小さい。接続パネル１１と第４側面パネル４との境界部分には、上述の突片９ａ〜９ｃが挿入される係止用スリット１１ａ〜１１ｃが形成されている。
【００４１】
＜使用例＞
上述のように、安全コーン２０は、底面フラップ５〜８上に錘３０を配置した状態で安全コーン装置４０として使用できる。当該安全コーン装置４０は、それ単独で設置して使用することも可能である。
【００４２】
一方、当該安全コーン装置４０は、図７に示すように、上端部分にコーンバーＸを接続して、他の安全コーン装置４０と共に使用することも可能である。
【００４３】
＜収容機構＞
当該安全コーン用シート１０は、上述のように、第１側面パネル１の上端部に折り曲げ片１２を有する。図８に示すように、折り曲げ片１２は、折り曲げ容易線１ｂで折り曲げられることで、四角筒体２３の上部開口を大きくする。これにより、安全コーン２０は、上部開口から四角筒体２３内にコーンバーＸを容易に挿入することができる。その結果、安全コーン２０は、四角筒体２３内にコーンバーＸを挿入した状態で、コーンバーＸを安全コーン２０と一緒に保管することができる。
【００４４】
安全コーン２０は、第１側面パネル１の内面側に接続パネル１１が配置されているので、折り曲げ片１２の折り曲げによって上部開口を大きくした場合でも、四角筒体２３内に挿入されたコーンバーＸの周面を接続パネル１１によって支持することができる。そのため、安全コーン２０は、コーンバーＸを四角筒体２３に挿入された状態で安定的に保持しやすい。
【００４５】
また、安全コーン２０は、第１突片９ａが折り曲げ片１２の側縁から延出しているので、折り曲げ片１２を折り曲げる際には第１突片９ａを係止用スリット１１ａから抜き出すことを要する。そのため、安全コーン２０は、使用時等における折り曲げ片１２の意図しない折れ曲がりを抑制することできる。
【００４６】
なお、コーンバーＸを四角筒体２３内に挿入する際には、底面フラップ５〜８上に錘３０が配置されていてもよい。
【００４７】
＜利点＞
当該安全コーン用シート１０を組み立ててなる安全コーン２０は、底面フラップ５〜８の傾斜縁５ａ〜８ａがそれぞれ上側に配置されている他の底面フラップ５〜８を押し上げることで、底面フラップ５〜８を容易に上方に折り曲げることができる。そのため、安全コーン２０は、底面フラップ５〜８の折れ曲がりによって形成される底部２１の隙間Ｓから内部に錘３０を挿入することができる。その結果、安全コーン２０は、底面フラップ５〜８上に錘３０を容易に配置することができる。従って、当該安全コーン用シート１０は、保管時、運搬時等における軽量化を図ることで取扱性を高めることができると共に、使用時には錘３０を配置することで安定的に設置することが可能である。
【００４８】
当該安全コーン装置４０は、当該安全コーン用シート１０を用いているので、保管時、運搬時等における取扱性に優れると共に、設置時の安定性に優れる。
【００４９】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００５０】
上記実施形態では、主として側面パネルが４枚である構成について説明した。但し、当該安全コーン用シートにおける側面パネルの枚数は、３枚以上である限り、特に限定されない。
【００５１】
当該安全コーン用シートは、底面フラップに上述の傾斜縁が形成されている限り、この傾斜縁の先端部分に切り欠きを有しない構成を採用することも可能である。また、当該安全コーン用シートは、複数の底面フラップのうち、一部の底面フラップの傾斜縁の先端部分にのみ切り欠きが形成された構成を採用することも可能である。
【００５２】
当該安全コーン用シートは、突片を係止用スリットに挿入することで複数の側面パネルが多角筒体に組み立てられる構成に限定されない。当該安全コーン用シートは、例えば連接方向の片側の端部に接続パネルを設け、この接続パネルを連接方向の他方側の端部に配置される側面パネルの内面に貼着することで複数の側面パネルを多角筒状に接続してもよい。
【００５３】
当該安全コーン用シートは、連接方向の端部に配置される側面パネル以外の側面パネルに、コーンバーを挿入するための折り曲げ片が画定されていてもよい。また、当該安全コーン用シートは、上記折り曲げ片を有しない構成とすることも可能である。
【産業上の利用可能性】
【００５４】
以上のように、本発明の一態様に係る安全コーン用シートは、安全コーンの取扱性及び設置の安定性を図るのに適している。
【符号の説明】
【００５５】
１  第１側面パネル
１ａ、４ａ  脚部
１ｂ  曲げ容易線
１ｃ  スリット
２  第２側面パネル
３  第３側面パネル
４  第４側面パネル
５  第１底面フラップ
５ａ、６ａ、７ａ、８ａ  傾斜縁
５ｂ、６ｂ、７ｂ、８ｂ  切り欠き
５ｃ、６ｃ、７ｃ、８ｃ  係合部
６  第２底面フラップ
７  第３底面フラップ
８  第４底面フラップ
９ａ  第１突片
９ｂ  第２突片
９ｃ  第３突片
１０  安全コーン用シート
１１  接続パネル
１１ａ、１１ｂ、１１ｃ  係止用スリット
１２  折り曲げ片
２０  安全コーン
２１  底部
２２  開口
２３  四角筒体
３０  錘
４０  安全コーン装置
Ｓ  隙間
Ｘ  コーンバー
Ｈ  側面パネルの高さ
Ｌ１  側面パネルの上底の長さ
Ｌ２  側面パネルの下底の長さ
Ｌ３  底面フラップの延出方向長さ
Ｗ  接続パネルの幅
α  側面パネルの下底に対する傾斜縁の傾斜角度
【要約】      （修正有）【課題】保管時、運搬時等における取扱性に優れると共に、使用時に安定して設置可能な安全コーン用シートを提供する。【解決手段】互いの脚部１ａ，１ｂで展開状態で連接される複数の等脚台形状の側面パネル１〜４と、上記側面パネルの下底からそれぞれ延出する底面フラップ５〜８とを備え、上記底面フラップの側縁のうち、上記複数の側面パネルの連接方向の一方側の側縁が、基端側から先端側に向けて幅方向の内側に傾斜した傾斜縁であり、上記側面パネルの枚数が３以上であり、上記複数の側面パネルが多角筒体に組み立てられ、かつ複数の上記底面フラップが、上記傾斜縁が外側に位置するように組み合わされる。【選択図】図１【図１】
0006804007.tif 000002
【図２】
0006804007.tif 000003
【図３】
0006804007.tif 000004
【図４】
0006804007.tif 000005
【図５】
0006804007.tif 000006
【図６】
0006804007.tif 000007
【図７】
0006804007.tif 000008
【図８】
0006804007.tif 000009